(57)【特許請求の範囲】
【請求項１】
操作框の側面に設けられた取っ手の操作により、蛇腹状に伸縮する間仕切り部材を引き出し、あるいは畳み込み可能とした間仕切り装置において、
前記取っ手は、把持棒と該把持棒を前記操作框の側面に取着する取付部材とで構成し、前記把持棒の上下両端部に一対のアームの先端部をそれぞれ上下方向に回動可能に取着し、前記各アームの基端部を前記取付部材の軸受部で上下方向に回動可能に支持し、前記軸受部の中心線を、前記操作框の中心線に対し該操作框の畳み込み方向に向かって傾け、前記把持棒を、前記間仕切り部材の全閉時に前記操作框が当接する当接面から遠ざかる方向に移動可能に取着したことを特徴とする間仕切り装置の取っ手。
【請求項２】
操作框の側面に設けられた取っ手の操作により、蛇腹状に伸縮する間仕切り部材を引き出し、あるいは畳み込み可能とした間仕切り装置において、
前記取っ手は、把持棒と該把持棒を前記操作框の側面に取着する取付部材とで構成し、前記把持棒の端部を前記取付部材の軸受部で上下方向に回動可能に支持し、前記軸受部の中心線を、前記操作框の中心線に対し該操作框の畳み込み方向に向かって傾け、前記把持棒を、前記間仕切り部材の全閉時に前記操作框が当接する当接面から遠ざかる方向に移動可能に取着したことを特徴とする間仕切り装置の取っ手。
【請求項３】
操作框の側面に設けられた取っ手の操作により、蛇腹状に伸縮する間仕切り部材を引き出し、あるいは畳み込み可能とした間仕切り装置において、
前記取っ手は、把持棒と該把持棒を前記操作框の側面に取着する取付部材とで構成し、前記把持棒の上下両端部に一対のアームの先端部をそれぞれ上下方向にスライド可能に取着し、前記各アームの基端部を前記取付部材の軸受部で上下方向に回動可能にかつ操作框の畳み込み方向に向かって原位置から所定角度の範囲で水平方向に回動可能に支持し、前記把持棒を、前記間仕切り部材の全閉時に前記操作框が当接する当接面から遠ざかる方向に移動可能に取着したことを特徴とする間仕切り装置の取っ手。
【請求項４】
前記取付部材は、前記アームを原位置に向かって付勢する付勢手段を備えたことを特徴とする請求項３記載の間仕切り装置の取っ手。
【発明の詳細な説明】
【技術分野】
【０００１】
この発明は、アコーデオンカーテンや折戸等の間仕切り装置の取っ手に関するものである。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。カーテン生地の引き出し操作及び畳み込み操作は、例えば操作框に設けられた取っ手を把持して同操作框を操作することにより行われる。
【０００３】
このようなアコーデオンカーテンでは、操作框を全閉状態まで引き出したとき、取っ手が壁面等に近接して位置するので、取っ手を握り辛いという問題点がある。
特許文献１には、走行棹に取っ手を水平方向に回動可能に支持して操作性及び収納性を向上させる構成が開示されている。
【０００４】
特許文献２には、水平取っ手を開き戸に対し弾性変形可能として壁の損傷を防止する構成が開示されている。
特許文献３には、引き戸の操作ハンドルを開閉方向と平行に回動させて、操作力の軽減及び全閉時の戻りを防止する構成が開示されている。
【特許文献１】実公平６−３６１９９号公報
【特許文献２】特開２００４−２０１７２９号公報
【特許文献３】特開２００３−２１４０１０号公報
【発明の開示】
【発明が解決しようとする課題】
【０００５】
上記のようなアコーデオンカーテンでは、美観を向上させるために、操作框及び取っ手を小型化することが望ましい。
しかし、全閉時に取っ手と壁面との間隔を確保するように、取っ手の先端部が壁面から離れるような形状とすると、取っ手が大型化して美観上好ましくないとともに、カーテン生地を畳み込んだとき、取っ手と蛇腹状に畳まれるカーテン生地とが干渉するという問題点がある。
【０００６】
また、操作框が小型化されているため、不操作時に取っ手を操作框に収納する構成を採用することもできない。
この発明の目的は、全閉時に操作框が当接する当接面との間隔を確保しながら、操作框の無用な大型化を防止して美観の向上を図り得る間仕切り装置の取っ手を提供することにある。
【課題を解決するための手段】
【０００７】
請求項１では、操作框の側面に設けられた取っ手の操作により、蛇腹状に伸縮する間仕切り部材を引き出し、あるいは畳み込み可能とした間仕切り装置において、前記取っ手は、把持棒と該把持棒を前記操作框の側面に取着する取付部材とで構成し、前記把持棒の上下両端部に一対のアームの先端部をそれぞれ上下方向に回動可能に取着し、前記各アームの基端部を前記取付部材の軸受部で上下方向に回動可能に支持し、前記軸受部の中心線を、前記操作框の中心線に対し該操作框の畳み込み方向に向かって傾け、前記把持棒を、前記間仕切り部材の全閉時に前記操作框が当接する当接面から遠ざかる方向に移動可能に取着した。
【０００９】
請求項２では、操作框の側面に設けられた取っ手の操作により、蛇腹状に伸縮する間仕切り部材を引き出し、あるいは畳み込み可能とした間仕切り装置において、前記取っ手は、把持棒と該把持棒を前記操作框の側面に取着する取付部材とで構成し、前記把持棒の端部を前記取付部材の軸受部で上下方向に回動可能に支持し、前記軸受部の中心線を、前記操作框の中心線に対し該操作框の畳み込み方向に向かって傾け、前記把持棒を、前記間仕切り部材の全閉時に前記操作框が当接する当接面から遠ざかる方向に移動可能に取着した。
【００１０】
請求項３では、操作框の側面に設けられた取っ手の操作により、蛇腹状に伸縮する間仕切り部材を引き出し、あるいは畳み込み可能とした間仕切り装置において、前記取っ手は、把持棒と該把持棒を前記操作框の側面に取着する取付部材とで構成し、前記把持棒の上下両端部に一対のアームの先端部をそれぞれ上下方向にスライド可能に取着し、前記各アームの基端部を前記取付部材の軸受部で上下方向に回動可能にかつ操作框の畳み込み方向に向かって原位置から所定角度の範囲で水平方向に回動可能に支持し、前記把持棒を、前記間仕切り部材の全閉時に前記操作框が当接する当接面から遠ざかる方向に移動可能に取着した。
【００１１】
請求項４では、前記取付部材は、前記アームを原位置に向かって付勢する付勢手段を備えた。
【発明の効果】
【００１２】
本発明によれば、全閉時に操作框が当接する当接面との間隔を確保しながら、操作框の無用な大型化を防止して美観の向上を図り得る間仕切り装置の取っ手を提供することができる。
【発明を実施するための最良の形態】
【００１３】
（第一の実施の形態）
以下、この発明を具体化したアコーデオンカーテンの取っ手の第一の実施の形態を図面に従って説明する。
【００１４】
図１及び図２に示すアコーデオンカーテンの操作框１には、間仕切り部材すなわちパンタグラフ状に伸縮する骨組み２の先端部が取着され、その骨組み２の前後両側に表面材３が取着されている。そして、前記骨組み２が複数のランナーを介してハンガーレールに移動可能に吊下支持され、操作框１を移動操作することにより骨組み２及び表面材３をハンガーレールに沿って伸縮可能となっている。
【００１５】
前記操作框１の前面９すなわち壁面等の当接面１０に対向する面の上部及び下部の少なくとも２箇所に磁石が取着され、その磁石を当接面１０に設けられた吸着板８に吸着可能となっている。そして、磁石を吸着板８に吸着させることにより、操作框１を全閉位置に保持可能となっている。
【００１６】
前記操作框１の両側面の上下方向中央部には、取っ手４が取着されている。なお、図１及び図２では、片方の取っ手４のみを図示する。
取っ手４は、把持棒５の上下両端部に同一形状のアーム６ａ，６ｂの先端部が回動可能に支持され、そのアーム６ａ，６ｂの基端部が取付部材７ａ，７ｂに回動可能に支持されている。取付部材７ａ，７ｂは前記把持棒５の長さと等しい間隔を隔てて、前記操作框１の側面に固定されている。
【００１７】
前記アーム６ａ，６ｂの基端部を回動可能に支持する取付部材７ａ，７ｂの軸受部の中心線Ｃ１は、操作框１の中心線Ｃ２に対し傾きを持って形成されている。すなわち、把持棒５が操作框１の畳み込み方向にオフセットされるように、軸受部の中心線Ｃ１が操作框１の中心線Ｃ２に対し傾きを持つように形成されている。また、アーム６ａ，６ｂは把持棒５に対し非対称に形成され、操作框１を畳み込み位置まで移動させたときにも、アーム６ｂと表面材３及び骨組み２との干渉を防止するようになっている。
【００１８】
このような構成により、図１及び図２に示すように、把持棒５は上下方向に移動可能に支持され、非操作時には把持棒５の自重により、同図に実線で示すように、操作框１の側面近傍でアーム６ａ，６ｂに吊下支持されている。
【００１９】
また、取っ手４の操作時に把持棒５を掴んで上方へ持ち上げると、同図に点線で示すように、アーム６ａ，６ｂが回動して、把持棒５が操作框１の側面から遠ざかるとともに、操作框１の畳み込み方向に向かって斜めに移動するようになっている。
【００２０】
すると、図２に示すように、操作框１が全閉位置まで移動されて、操作框１の前面９が壁面等の当接面１０に当接している状態から、把持棒５を摘んで上方へ移動させると、把持棒５と当接面１０との間隔がＷ１からＷ２まで増大する。従って、把持棒５を上方へ移動させることにより、把持棒５が握り易くなる。
【００２１】
上記のように構成されたアコーデオンカーテンの取っ手４では、次に示す作用効果を得ることができる。
（１）取っ手４を操作することにより操作框１を移動させて、アコーデオンカーテンをハンガーレールに沿って引き出し、あるいは畳み込むことができる。
（２）操作框１が当接面１０に当接している状態から、操作框１を畳み込み方向に移動させるとき、把持棒５を上方へ回動させることにより把持棒５と当接面１０との間隔Ｗ２を増大させることができる。従って、把持棒５を握り易くなり、操作框１の移動操作を容易に開始することができる。
（３）アーム６ａ，６ｂの軸受け部を傾けて、把持棒５を当接面１０から遠ざかる方向に斜めに移動可能とすることにより、当接面１０との間隔Ｗ２を確保することができる。従って、当接面１０との間隔Ｗ２を確保し得る取っ手４を、操作框１を大型化することなく同操作框１に取着することができる。
（４）把持棒５を当接面１０から遠ざかる方向に斜めに移動可能として、当接面１０との間隔Ｗ２を確保するようにしたので、間仕切り部材を畳み込んでも、把持棒５及びアーム６ａ，６ｂと表面材３との干渉を防止することができる。
（第二の実施の形態）
図３及び図４は、第二の実施の形態を示す。前記実施の形態と同一構成部分は同一符号を付して説明する。
【００２２】
この実施の形態の取っ手１１は、操作框１の側面に固定された取付部材１２に把持棒１３の上端部が回動可能に支持されている。把持棒１３の上端部は、取付部材１２に固定された支軸１４に回転可能に支持され、その中心線Ｃ３は、操作框１の中心線Ｃ２に対し傾きを持って形成されている。そして、把持棒５の先端部が操作框１の畳み込み方向にオフセットされている。
【００２３】
このような構成により、取っ手１１の操作時に把持棒１３を掴んで引くと、図３及び図４に点線で示すように、把持棒１３が回動して、把持棒１３の下端部が操作框１の側面から遠ざかるとともに、操作框１の畳み込み方向に向かって斜めに回動するようになっている。
【００２４】
すると、図４に示すように、操作框１が全閉位置まで移動されて、操作框１の前面９が壁面等の当接面１０に当接している状態から、把持棒１３を摘んで上方へ回動させると、把持棒１３と当接面１０との間隔がＷ３からＷ４まで増大する。従って、把持棒１３を上方へ回動させることにより、把持棒１３が握り易くなる。
【００２５】
従って、前記第一の実施の形態で得られた（２）（３）（４）と同様な作用効果を得ることができる。
（第三の実施の形態）
図５〜図１０は、第三の実施の形態を示す。前記実施の形態と同一構成部分は同一符号を付して説明する。
【００２６】
この実施の形態の取っ手１５は、把持棒１６の上部及び下部に長孔１７ａ，１７ｂが上下方向に設けられ、各長孔１７ａ，１７ｂにアーム１８ａ，１８ｂの先端部が移動可能にかつ回動可能に支持されている。
【００２７】
前記アーム１８ａ，１８ｂの基端部は、操作框１の側面に固定された取付部材１９ａ，１９ｂに回動可能に支持されている。従って、把持棒１６は、図５及び図６に示す状態から図７及び図８に示す状態までの間で、操作框１に対し移動可能となっている。
【００２８】
また、前記アーム１８ａ，１８ｂの基端部は取付部材１９ａ，１９ｂに設けられた案内孔２３ａ，２３ｂに沿って移動可能に支持され、図９及び図１０に示すように、把持棒１６は操作框１の畳み込み方向に向かって水平方向に回動可能となっている。
【００２９】
前記取付部材１９ａ内には、前記アーム１８ａの基端部の上方に摺動部材２０ａが上下同可能に収納され、その摺動部材２０ａと取付部材１９ａの天井面との間にコイルスプリング２１ａが配設されている。そして、摺動部材２０ａはコイルスプリング２１ａの付勢力により常に下方へ付勢されている。
【００３０】
前記摺動部材２０ａの下部には、操作框１に向かう斜面２２ａが形成され、その斜面２２ａが前記アーム１８ａの基端部の一側に上方から当接している。
前記取付部材１９ｂ内にも同様な摺動部材２０ｂ及びコイルスプリング２１ｂが配設されている。そして、摺動部材２０ｂ及びコイルスプリング２１ｂは、アーム１８ｂの下方において、摺動部材２０ａ及びコイルスプリング２１ａと線対称状に配設され、摺動部材２０ｂには斜面２２ａと線対称状となる斜面２２ｂが形成されている。
【００３１】
このような構成により、図７及び図８に示す状態から、把持棒１６を操作框１の畳み込み方向に水平方向に引くと、図９及び図１０に示すように、把持棒１６が案内孔２３ａ，２３ｂを回動支点として回動するようになっている。
【００３２】
このとき、アーム１８ａ，１８ｂの回動により、摺動部材２０ａはコイルスプリング２１ａの付勢力に抗して上方へ押し上げられ、摺動部材２０ｂはコイルスプリング２１ｂの付勢力に抗して下方へ押し下げられる。
【００３３】
また、把持棒１６を手放せば、コイルスプリング２１ａの付勢力により摺動部材２０ａが下方へ移動し、コイルスプリング２１ｂの付勢力により摺動部材２０ｂが上方へ移動して、把持棒１６が図７及び図８に示す状態に復帰するようになっている。
【００３４】
このように構成された取っ手１５は、その不操作持には図５に示すように、把持棒１６を取付部材１９ａ，１９ｂに近接する位置に収納した状態とする。この状態から取っ手１５を操作して操作框１を移動操作するときには、把持棒１６を掴んで図７に示す状態まで引き出し、この状態で操作框１の移動操作を行う。
【００３５】
また、図１０に示すように、操作框１が全閉位置まで移動されて当接面１０に当接している状態から操作框１を畳み込み方向に移動させるときには、把持棒１６を引き出した後に操作框１の畳み込み方向に回動させる。すると、把持棒１６と当接面１０との間隔Ｗ４が大きくなるため、把持棒１６が握り易くなる。
【００３６】
この実施の形態の取っ手１５は、次に示す作用効果を得ることができる。
（１）操作框１が当接面１０に当接している状態から、同操作框１を畳み込み方向に移動させるとき、把持棒５を引き出し、操作框１の畳み込み方向に回動させることにより、把持棒１６と当接面１０との間隔Ｗ３を増大させることができる。従って、把持棒１６を握り易くなり、操作框１の畳み込み方向への操作を容易に開始することができる。
（２）アーム１８ａ，１８ｂを取付部材１９ａ，１９ｂに設けた案内孔２３ａ，２３ｂに沿って回動させることにより、把持棒１６と当接面１０との間隔Ｗ３を増大させることができる。従って、当接面１０との間隔Ｗ３を増大させ得る取っ手４を、小型の操作框１に取着することができる。
（３）把持棒５を当接面１０から遠ざかる方向に回動可能として、当接面１０との間隔Ｗ２を確保するようにしたので、間仕切り部材を畳み込んでも、把持棒１６及びアーム１８ａ，１８ｂと表面材３との干渉を防止することができる。
（４）取っ手１５の不操作時には、コイルスプリング２１ａ，２１ｂの付勢力により、把持棒１６を操作框１の側面に直交する方向に自動的に復帰させることができる。そして、アーム１８ａ，１８ｂと長孔１７ａ，１７ｂの作用により、把持棒１６を操作框１に近接する位置に収納することができる。
【００３７】
上記実施の形態は、以下の態様で実施してもよい。
・前記各実施の形態の取っ手を折り戸の取っ手として使用してもよい。
・第二の実施の形態の取っ手は、把持棒を取付部材から上方へ延設する構成としてもよい。
【図面の簡単な説明】
【００３８】
【図１】第一の実施の形態を示す正面図である。
【図２】第一の実施の形態を示す平面図である。
【図３】第二の実施の形態を示す正面図である。
【図４】第二の実施の形態を示す平面図である。
【図５】第三の実施の形態を示す正面図である。
【図６】第三の実施の形態を示す平面図である。
【図７】第三の実施の形態の動作を示す正面図である。
【図８】第三の実施の形態の動作を示す平面図である。
【図９】第三の実施の形態の動作を示す正面図である。
【図１０】第三の実施の形態の動作を示す平面図である。
【符号の説明】
【００３９】
１…操作框、２…間仕切り部材（骨組み）、３…間仕切り部材（表面材）、４，１１，１５…取っ手、５，１３，１６…把持棒、１０…当接面、７ａ，７ｂ，１２，１９ａ，１９ｂ…取付部材。
【図１】
0004834415.tif 000002
【図２】
0004834415.tif 000003
【図３】
0004834415.tif 000004
【図４】
0004834415.tif 000005
【図５】
0004834415.tif 000006
【図６】
0004834415.tif 000007
【図７】
0004834415.tif 000008
【図８】
0004834415.tif 000009
【図９】
0004834415.tif 000010
【図１０】
0004834415.tif 000011